(57)【要約】【目的】所謂おしぼりとして使用するに適したタオルに対して各種キャラクター表示を施し、保湿性や保温・保冷性に優れた容器に入れて適宜な温度として需要者に提供する新規なおしぼりタオル製品を提案する。【構成】なくとも片面側に各種のキャラクター表示を施した布製のタオルにおしぼりとして使用するに適した量の水分を含ませ又は含ませ得る状態でロールし又は折り畳んでまとめ、これを保温・保冷性に優れ且つ非通気性のビニール製などによる容器に密封して収容し、０℃以上９０℃以下の温度で保持する保温・保冷機器内に入れて需要者に提供するキャラクター表示おしぼりタオル。【選択図】　　図１
2004024717.tif 000002
【特許請求の範囲】
【請求項１】
少なくとも片面側に各種のキャラクター表示を施した布製のタオルにおしぼりとして使用するに適した量の水分を含ませ又は含ませ得る状態でロールし又は折り畳んでまとめ、これを保温・保冷性に優れ且つ非通気性のビニール製などによる容器に密封して収容し、０℃以上９０℃以下の温度で保持する保温・保冷機器内に入れて需要者に提供することを特徴とするキャラクター表示おしぼりタオル。
【請求項２】
保温・保冷却性に優れ且つ非通気性のビニール製などによる容器が開閉可能な構造であることを特徴とする請求項１に記載のキャラクター表示おしぼりタオル。
【請求項３】
ロールし又は折り畳んだ状態でタオルに表示したキャラクターがどのようなものであるか判別できるように配慮してタオル面状にキャラクター表示していることを特徴とする請求項１または請求項２に記載のキャラクター表示おしぼりタオル。
【請求項４】
水分の他に各種芳香剤を含ませることで使用する際にリラクゼーション効果を得ることができるようにしたことを特徴とする請求項１〜請求項３の何れか１つに記載のキャラクター表示おしぼりタオル。
【請求項５】
おしぼりタオルを湿らせるべき水分を別容器に入れておしぼりタオルと共に容器内に収容し、使用する際には別容器内の水分をおしぼりタオルに含ましめるものとしたことを特徴とする請求項１〜請求項４の何れか１つに記載のキャラクター表示おしぼりタオル。
【発明の詳細な説明】
【０００１】
【発明の属する技術分野】
本発明は、所謂おしぼりとして使用するに適したタオルに対して各種キャラクター表示を施し、保湿性や保温・保冷性に優れた容器に入れて適宜な温度として需要者に提供する新規なおしぼりタオル製品に関するものである。
【０００２】
【従来の技術】
水分等を含ませておしぼりとして使用する比較的小型の布製タオルを季節にあわせて適宜な温度に管理した状態（冬には暖かく、夏には冷たくなど）でレストランなどの利用者に提供するサービスが従来から行われている。
【０００３】
このようなおしぼりタオルは簡易なビニール包装を施し保温・保冷機器内に保管して適宜に利用者に無料で提供し、使用済みのおしぼりタオルは回収されて再利用するようなサイクルが出来上がっている。
【０００４】
【発明が解決しようとする課題】
しかし、上記したような従来の技術では、使用されるおしぼりタオルは通常無料で提供されるものであり、適当な処理を施して複数回再利用することを前提とするものであるから最低限のコストで提供できる無地のタオル製品を用いるのみで面白味に欠けている。
【０００５】
また、ドライブなどの外出先で使用する紙製品の保湿タオルなどが販売されているが、これは適当な温度管理がされているわけではなく自動車内にクーラーボックスなどを入れておくことが一般化しているのに外出先で心地よい温度とされたおしぼりタオルを用いることは実現されていない。
【０００６】
つまり、暖めたり冷やされた適当なおしぼりタオルを有料で販売するようなことは現時点では一般化していない。したがって、このようなおしぼりタオルに適当なデザイン的ポイントとなる各種キャラクターデザインを施すということも実現されていない。
【０００７】
さらに、現状のおしぼりタオルは上記したように複数回繰返し使用することを前提とするもので、それなりに衛生面の配慮がされているとしても無料サービスで行われていることから心理的抵抗感を感じる利用者も存在している。
【０００８】
【課題を解決するための手段】
本発明は、上記したような従来技術における課題を解消することについて、実験と検討を繰り返し行い創案されたものであって、適切に温度管理されたおしぼりタオルを保温・保冷性や乾燥性、衛生面などに適宜に配慮し使い易さも考慮した容器に入れしかもおしぼりタオル自体にも各種キャラクター表示を施して利用者の趣味性やコレクション性にうったえるものとして商品化することを提案するものであって、具体的には以下の如くである。
【０００９】
（１）　少なくとも片面側に各種のキャラクター表示を施した布製のタオルにおしぼりとして使用するに適した量の水分を含ませ又は含ませ得る状態でロールし又は折り畳んでまとめ、これを保温・保冷性に優れ且つ非通気性のビニール製などによる容器に密封して収容し、０℃以上９０℃以下の温度で保持する保温・保冷機器内に入れて需要者に提供することを特徴とするキャラクター表示おしぼりタオル。
【００１０】
（２）　保温・保冷却性に優れ且つ非通気性のビニール製などによる容器が開閉可能な構造であることを特徴とする前記（１）項に記載のキャラクター表示おしぼりタオル。
【００１１】
（３）　　ロールし又は折り畳んだ状態でタオルに表示したキャラクターがどのようなものであるか判別できるように配慮してタオル面状にキャラクター表示していることを特徴とする前記（１）項または（２）項に記載のキャラクター表示おしぼりタオル。
【００１２】
（４）　　水分の他に各種芳香剤を含ませることで使用する際にリラクゼーション効果を得ることができるようにしたことを特徴とする前記（１）項〜（３）項の何れか１つに記載のキャラクター表示おしぼりタオル。
【００１３】
（５）　　おしぼりタオルを湿らせるべき水分を別容器に入れておしぼりタオルと共に容器内に収容し、使用する際には別容器内の水分をおしぼりタオルに含ましめるものとしたことを特徴とする前記（１）項〜（４）項の何れか１つに記載のキャラクター表示おしぼりタオル。
【００１４】
【作用】
少なくとも片面側に各種のキャラクター表示を施した布製のタオルにおしぼりとして使用するに適した量の水分を含ませ又は含ませ得る状態でロールし又は折り畳んでまとめ、これを保温・保冷性に優れ且つ非通気性のビニール製などによる容器に密封して収容し、０℃以上９０℃以下の温度で保持する保温・保冷機器内に入れて需要者に提供することで、無料でサービスされている従来のおしぼりタオルと比較して趣味性やコレクション性にうったえるものとなし、収容する容器の性能が保温・保冷性や密閉性において向上され、心地良い温度などとされたおしぼりタオルの状態を比較的長時間維持することができる。
【００１５】
保温・保冷却性に優れ且つ非通気性のビニール製などによる容器が開閉可能な構造であることで、携帯性などにも優れ、また、何度か出し入れしてもおしぼりタオルとして心地良いものとなし得る。
【００１６】
ロールし又は折り畳んだ状態でタオルに表示したキャラクターがどのようなものであるか判別できるように配慮してタオル面状にキャラクター表示していることで、保温・保冷性に優れ且つ非通気性のビニール性などによる容器に収容された状態であっても需要者が外部からおしぼりタオルに表示されたキャラクターを判別することができ、好みのものを選択することができるようになる。
【００１７】
おしぼりタオルを湿らせるべき水分を別容器に入れておしぼりタオルと共に容器内に収容し、使用する際には別容器を開いて水分をおしぼりタオルに含ましめるものとしたことで、実際に使用する際にのみ水分を含ませたおしぼりタオルとして製品化することが可能となる。
【００１８】
【発明の実施の形態】
上記した本発明の具体的な実施形態の若干例について添付図面に示すところを利用して説明すると以下のとおりである。
【００１９】
すなわち、図１にあるように、本発明によるおしぼりタオル１は布製のものであり、少なくともその片面側に適当なキャラクター模様２を表示させるものとしている。つまり、従来の無料サービスされているおしぼりタオルでは主にコストの問題から無地かせいぜい折り柄が入った程度のものしか使用されていなかったが、本発明では有料で販売することを前提としているのでタオルの布地自体を従来のものと比較して高級なものとし、さらに需要者の趣味性やコレクション性にうったえることのできる各種キャラクター表示を行うようにしたものである。
【００２０】
本発明のおしぼりタオル１にはおしぼりとして使用するに適した量の水分を含ませた状態で図示のようにロールしたり、あるいは適当な形状・大きさとなるように折り畳んで収容容器３に入れて水分が容易に蒸発することがないように密封状態とする。この収容容器３はビニール製などとすればよいが、本発明ではおしぼりタオル１を適当な保温・保冷機器内に入れて０℃以上９０℃以下のような温度で保持して需要者に提供するものであるから、このような温度範囲で長時間保持されても変質等が起こらない素材を選択しなければならない。なお、ここで用いる保温・保冷機器は従来の無料サービスされるおしぼりタオルを保管している機器と基本的に同じ機能を有するもので構わない。
【００２１】
収容容器３の密封状態は開口部の熱溶着などによって行い、需要者が使用する場合にこれを破って使うものとしてよいが、おしぼりタオル１を出し入れする開口部に対して公知の開閉手段を施して適宜な出し入れを行えるものとしても構わない。しかし何れにしても密封状態ではおしぼりタオル１に含ませた水分が蒸発することがないように確実な密封状態を実現できるようにしなければならない。
【００２２】
さらに、本発明の場合には収容容器３に採用する素材自体を若干厚めのものとするなどして、適宜な温度とされたおしぼりタオル１の温度状態が従来の無料おしぼりタオルよりも長時間維持できるように配慮することが望ましい。
また、該収容容器３を透明なビニール素材などで形成すれば、収容された状態のおしぼりタオル１についてそのタオル面上に表示されたキャラクター模様２が外部から観察することができるので、需要者はその好みに応じたものを選択することができてコレクション性をより満足するものとなし得る。
【００２３】
さらに、上記した外部からの観察によっておしぼりタオル１に採用されたキャラクター模様２を確実に識別できるようにするためには、図示のようにロールしたおしぼりタオル１の最外面側に表示したキャラクター模様２の内容がわかるようなキャラクター模様２の配置関係を工夫すべきである。これはおしぼりタオル１を適当に折り畳んで収容容器３に入れる場合も同様である。
【００２４】
さらにまた、需要者が好みのキャラクター模様２を選択するのではなく、どのようなキャラクター模様２が採用されているかは開封しておしぼりタオル１を開いてみないと判らないというように意外性のある商品とする場合には、収容容器３自体を不透明な素材によって形成したり、または、おしぼりタオル１をロールしたり折り畳んだ状態ではキャラクター模様２が見えなくなるようにタオル面上における配置関係を工夫するなどしておけばよい。
【００２５】
本発明のおしぼりタオル１には、水分の他に各種の芳香剤を適量含ませるものとしてもよい。各種ハーブの香りなどを含ませるものとすることで、おしぼりとして使用する際に気持ちを落着かせるなどのリラクゼーション効果が期待できるものとして提供することが可能となる。また、抗菌・消臭作用などを期待することも可能で、水分などを含ましめて保存するものでありながら衛生面にもそれなりの配慮をすることが可能となるものである。
【００２６】
また、水分を含ませた状態で一定期間以上おしぼりタオル１を保管することに若干の不安がある場合には、図２に示すようにおしぼりタオル１を湿らせるべき水分を別容器４に入れておしぼりタオル１と共に収容容器内３に収容し、使用する際には該別容器４を開いて水分をおしぼりタオル１に含ましめるものとすればより衛生的保管が可能とされることになる。別容器４に入れる水分量は１本のおしぼりタオル１を湿らせるに適したものとされるので、この別容器４を取出して収容容器３内のおしぼりタオル１に対して注ぎかけることで適度の湿らせたおしぼりタオル１とすることができるものである。
【００２７】
また、本発明の収容容器３はしっかりと密閉され、従来の無料おしぼりタオルを収容した容器に比較して強度があるものとされているので、別容器４を相対的に強度の低い素材で形成したり、外部からの衝撃で開封しやすい構造のものとしておけば、収容容器３を開封せずにそのまま適当な衝撃を与えることで別容器４内の水分が漏れ出して適切に湿らせたおしぼりタオル１となるという手法を採用することも可能である。
【００２８】
そして、別容器４自体もおしぼりタオル１と共に収容容器３内に入れて保温・保冷機器内に保持されているものであるから、別容器４内の水分も適宜な温度に加熱・冷却されることになる。また、このような加熱・冷却の温度範囲は０℃以上９０℃以下に規制されるので、別容器４内の水分が凍ってしまったり沸騰してしまうことはないようにされている（適当な氷点降下剤を入れれば０℃以下の温度に冷却されても別容器４内の水分は凍らない）。
【００２９】
さらに、別容器４内には水分の他にも上記したような各種芳香剤などを入れてもよく、この場合にもリラクゼーション効果を発揮させると共に抗菌・消臭作用にも優れたおしぼりタオル１として提供することが可能となるものである。
【００３０】
上記してきたような本発明によるおしぼりタオル１は、主にコンビニエンスストアーやガソリンスタンドなどで販売することを想定したものであり、自動車でドライブ等の外出をしようとする需要者が外出先での心地良いおしぼりタオル１を入手する目的で購入することを考えているものである。したがって、自動車内などにも適切な保温・保冷器具やクーラーバッグなどが搭載されている場合が多いと考えられ、これらを利用する需要者は長時間に亘って適切な温度とされた本発明によるおしぼりタオル１を利用することが可能となるものである。
【００３１】
【発明の効果】
以上説明したような本発明によるならば、需要者の趣味性やコレクション性にうったえかける多様なキャラクター表示を施したおしぼりタオルを心地良い使用ができるものとして各種店舗などで提供することが可能となり、従来の無料おしぼりタオルよりも高級感のあるものとなし、さらにリラクゼーション効果や抗菌・消臭作用などの衛生面にも配慮したものとして提供することが可能となって、新たな商品として新規の需要を開拓するものであり、工業的にその価値が高い発明であると理解される。
【図面の簡単な説明】
【図１】本発明のおしぼりタオルの概要を示した説明図面である。
【図２】おしぼりタオルを湿らせるべき水分を別容器に入れた場合の概要を示した説明図面である。
【符号の説明】
１　　おしぼりタオル
２　キャラクター模様
３　収容容器
４　別容器
【図１】
2004024717.tif 000003
【図２】
2004024717.tif 000004